【事件の表示】
　特許第２９５４５４４号「パチンコ機の配線構造」の請求項１に係る特許に対する特許異議の申立てについて、次のとおり決定する。
【結　論】
　訂正を認める。
　特許第２９５４５４４号の請求項１に係る特許を維持する。
【理　由】
１．手続の経緯
　特許第２９５４５４４号の請求項１に係る発明についての出願は、昭和６３年３月３日に出願された実願昭６３ー４３９３３号の一部を平成６年８月２日に新な出願とした実願平６ー９４１６号を、平成８年１２月２０日に特許出願に変更した特願平８ー３４１５７１号の一部を新たな出願としたものであって、平成１１年７月１６日にその発明について特許の設定登録がなされ、その後、その特許について、異議申立人上田実により特許異議の申立てがなされ、取消の理由が通知され、その指定期間内である平成１３年１月１５日に訂正請求（後日取り下げ）がなされた後、再度の取消の理由が通知され、その指定期間内である平成１３年１１月１２日に訂正請求がなされたものである。
　
２．訂正の適否についての判断
ア．訂正の内容
（ａ）特許請求の範囲の請求項１の「遊技盤内の電気部品であって前記コネクタ基板に接続されない電気部品」を、
「遊技盤内の電気部品であって前記コネクタ基板に接続されない
遊技球検出装置
（ｂ）特許請求の範囲の請求項１の「第３配線経路を経て前記遊技盤外に設けた電気部品」を、
「第３配線経路を経て
、横長の扁平箱形状をなし、
を開閉するガラス枠には嵌装した２枚のガラス板間に取り出し可能に狭持されて、前記遊技球検出装置の複数の球受け口のうち遊技球が落入した球受け口の番号を表示するための表示板
（ｃ）明細書段落【０００５】の「この配線構造によれば、遊技盤に取り付けた各種の電気部品は同じく遊技盤に設けた各分配コネクタに接続すれば足りる。また、分配コネクタは、同じく遊技盤に設けた中継コネクタを経て制御基板の集配コネクタに一括して接続される（第１配線経路）。また、制御基板のその他の集配コネクタには、遊技盤内の電気部品であってコネクタ基板に接続されない電気部品が接続される（第２配線経路）。更に、制御基板の別の集配コネクタには、遊技盤外の電気部品が接続される（第３配線経路）。」を、
「この配線構造によれば、遊技盤に取り付けた各種の電気部品は同じく遊技盤に設けた各分配コネクタに接続すれば足りる。また、分配コネクタは、同じく遊技盤に設けた中継コネクタを経て制御基板の集配コネクタに一括して接続される（第１配線経路）。また、制御基板のその他の集配コネクタには、遊技盤内の電気部品であってコネクタ基板に接続されない
遊技球検出装置
あって、横長の扁平箱形状をなし、遊技盤を開閉するガラス枠には嵌装した２枚のガラス板間に取り出し可能に狭持されて、前記遊技球検出装置の複数の球受け口のうち遊技球が落入した球受け口の番号を表示するための表示板
（ｄ）明細書段落【００２９】の「そして、コネクタ基板５２の中継コネクタ５６は、リード線束４８Ａを介して制御基板２３の第２集配コネクタ４７に接続されている。従って、本例の場合リード線束４８Ａを介する配線経路が特許請求の範囲に記載した第１配線経路に相当する。又、遊技球検出装置Ｕの集合コネクタ３５はリード線束４８Ｂを介して第２集配コネクタ４７に接続されている。本例の場合、遊技球検出装置Ｕが特許請求の範囲に記載した、遊技盤内の電気部品であってコネクタ基板に接続されない電気部品に相当し、従ってリード線束４８Ｂを介する配線経路が特許請求の範囲に記載した第２配線経路に相当する。更に、表示板４２の集合コネクタ４５はリード線束４８Ｃを介して第１集配コネクタ４６に接続されている。本例の場合、表示板４２及びプリント基板４３が特許請求の範囲に記載した遊技盤外の電気部品に相当し、従ってリード線束４８Ｃを介する配線経路が特許請求の範囲に記載した第３配線経路に相当する。」を「そして、コネクタ基板５２の中継コネクタ５６は、リード線束４８Ａを介して制御基板２３の第２集配コネクタ４７に接続されている。従って、本例の場合リード線束４８Ａを介する配線経路が特許請求の範囲に記載した第１配線経路に相当する。又、遊技球検出装置Ｕの集合コネクタ３５はリード線束４８Ｂを介して第２集配コネクタ４７に接続されている。本例の場合、遊技球検出装置Ｕが特許請求の範囲に記載した、遊技盤内の電気部品であってコネクタ基板に接続されない電気部品に相当し、従ってリード線束４８Ｂを介する配線経路が特許請求の範囲に記載した第２配線経路に相当する。更に、表示板４２の集合コネクタ４５はリード線束４８Ｃを介して第１集配コネクタ４６に接続されている。本例の場合
、リ
　
イ．訂正の目的の適否、新規事項の有無、及び拡張・変更の存否
　上記訂正事項（ａ）、（ｂ）は、請求項１の「遊技盤内の電気部品であって前記コネクタ基板に接続されない電気部品」を「遊技盤内の電気部品であって前記コネクタ基板に接続されない
遊技球検出装置
、横長の扁平箱形状をなし、
を開閉するガラス枠には嵌装した２枚のガラス板間に取り出し可能に狭持されて、前記遊技球検出装置の複数の球受け口のうち遊技球が落入した球受け口の番号を表示するための表示板
　そして、上記訂正事項（ａ）〜（ｄ）は、本件特許明細書段落【００２３】、【００２９】、【００３２】、【００３３】および図１、５に記載されているから、新規事項の追加に該当せず、また特許請求の範囲を実質的に拡張または変更するものではない。
　
ウ．むすび
　以上のとおりであるから、上記訂正は、特許法等の一部を改正する法律（平成６年法第１１６号）附則第６条第１項の規定によりなお従前の例によるとされる、特許法第１２０条の４第３項において準用する平成６年法律１１６号による改正前の特許法第１２６条第１項ただし書、第２項及び第３項の規定に適合するので、当該訂正を認める。
　
３．特許異議の申立てについて
ア．申立ての理由の概要
　申立人上田実は、甲第１乃至５号証を提出し、請求項１に係る発明は、甲第１号証および甲第２号証に記載の発明または甲第３号証（または甲第５号証）および４号証に記載の発明に基づいて当業者が容易に発明をすることができたものであるから、請求項１に係る発明の特許は、特許法第２９条第２項の規定に違反してなされたものであり取り消されべきものである旨主張している。
　　
イ．本件発明
　本件特許第２９５４５４４号の請求項１に係る発明（以下、本件発明という。）は平成１３年１１月１２日付けで提出された訂正明細書の特許請求の範囲の請求項１に記載された次の事項により特定されるとおりのものである。
「【請求項１】遊技盤の裏面に、該遊技盤に取り付けた各種の電気部品を接続するための分配コネクタと、該分配コネクタを一括して制御基板に接続するための中継コネクタを備えたコネクタ基板を設ける一方、前記制御基板に複数の集配コネクタを設け、該集配コネクタに、第１配線経路を経て前記中継コネクタを接続し、第２配線経路を経て、前記遊技盤内の電気部品であって前記コネクタ基板に接続されない
遊技球検出装置
、横長の扁平箱形状をなし、
を開閉するガラス枠には嵌装した２枚のガラス板間に取り出し可能に狭持されて、前記遊技球検出装置の複数の球受け口のうち遊技球が落入した球受け口の番号を表示するための表示板
　
ウ．甲第１乃至５号証記載の発明
　甲第１号証（最初および再度取消の理由で引用した刊行物１）（実願昭５５ー１１８５２７号（実開昭５７ー４２８７５号）のマイクロフィルム、以下、刊行物１という。）には、「コイン式パチンコ機本体の機能に係る配線系統と遊技内容に係る配線系統とを分離して夫々中継基板に集約し、この中継基板と制御装置とを接続したことを特徴とするコイン式パチンコ機の配線処理構造。」（第１頁第５行〜第９行）、「而して、制御装置２９は所定のゲーム内容を記憶させたコンピュータであり、遊技盤１７の裏面に装着する。本考案は、この制御装置２９に対し、叙上の各電気・電子装置及び部品間の配線を、コイン式パチンコ機本体の機能に係るグループ（Ａブロック）と遊技内容に係るグループ（Ｂブロック）との二系統に分離し、各系統の配線を夫々の中継基板３０に集約し、この中継基板３０と制御装置２９とをコネクター等を介して接続したものである。Ａブロックを第１中継基板３０ａに、Ｂブロックを第２中継基板３０ｂに集約して配線し、第１中継基板３０ａを裏機構板１７裏面に、第２中継基板３０ｂを遊技盤１７の裏面に設けている。第５図はこの配線状態を示すブロック図である。尚、ターゲット検出器群２１及びマトリックス２２は配線本数が多くなるので．取付位置に応じて、第２中継基板３０ｂに接続せず、直接制御装置２９にコネクター接続してもよい。叙上の如く、本考案は、配線を二系統に分離し夫々を中継基板に集約して制御装置に接続したものであるから、配線が大幅に整理統合され配線に伴なう諸経費の節減と、保守点検が迅速かつ容易となる。殊にコイン式パチンコ機の業界においては、各社とも二機種以上製造販売しているのが現状であり、それだけ遊技内容即ちＢブロックの内容が多種多様となっているが、本考案の如く、コイン式パチンコ機本体の機能に係る系統、即ちＡブロックと分離することにより、Ａブロックは何れの機種にも対応し、互換性のあるコイン式パチンコ機を提供する点に著しい効果を有する。又、Ａブロックを遊技盤１７と分離し、これと着脱自在に構成した裏機構板６に装着することにより、裏機構板６ともども新規の遊技機に再利用できる利点もある。」（第５頁第２行〜第６頁第１７行）と記載されている。
　甲第２号証（実願昭６０ー９６８２８号（実開昭６２ー６８７５号）のマイクロフィルム、以下、刊行物２という。）には、「１）入賞球を検出するための検出部品や役物を作動させるための駆動部品等の電装部品、入賞球を通過させるための入賞通路、及び配線用の中継端子盤とを一つのユニットに一体化して遊技盤裏面に設置するようにしたことを特徴とするパチンコ機の入賞球仕切ユニット。」（第１頁第５行〜第１０行）、「さらに、第４図に示すように、これら入賞球仕切ユニット（１）内に設けられたマイクロスイッチ（５）やソレノイド（６）、表示ランプ（１３）等の電装部品は、その接続線（１２）が同じく入賞球仕切ユニット（１）内に設けられた中継端子盤（１０）に接続されている。すなわち、中継端子盤（１０）と電装部品との接続配線（１２）は予め入賞球仕切ユニット（１）内に組込まれている。したがって、各電装部品と中継端子盤（１０）とを接続する配線作業は入賞球仕切ユニット（１）を遊技盤に紐付ける際に不要となり、パチンコ機の組立て作業が非常に楽になり、また配線間違いを起こすことも少なくなる。このことは、部品交換のときにも配線間違いをおこすことがなく、又製造メーカーがでなくても遊技場の係員でも簡単に部品交換できるので便利がよい。この中継端子盤（１０）には、第４図に示すようにさらに接続線が電子制御回路を組込んだ基盤（３２）に接続されるようになっている。なお、前記中継端子盤（１０）については、入賞球仕切ユニット（１）内に設けられる電装部品だけでなく球切れランプやその他の遊技盤に取付ける電装部品の中継端子盤（１０）として利用するようにすれば、遊技盤の電装部品の配線はこの中継端子盤（１０）ですべてチェックできるので便利がよい。」（第９頁第８行〜第１０頁第１５行）、「以上、本考案の入賞球仕切ユニット（１）について説明したが、この入賞球仕切ユニット（１）は遊技盤を介して入賞装置本体（２１）に紐付けることがで８１きるのでこの点について簡単に説明する。まず入賞球仕切ユニット（１）の前面に形成された筒状体（１４）を入賞装置本体（２１）の裏面に形成される筒体（３０）内に蕨合し、ソレノイド（６）のプランジャ（７）に装着された係合部材（８）の係合孔（９）に係合ピン（１６）を係合させる。これによって、第６図及び第７図に示すように遊技盤（３１）前面に固定した入賞装置本体（２１）に遊技盤（３１）を介して遊技盤（３１）裏面に入賞球仕切ユニット（１）を紐付けることができるようになっている。」（第１１頁第３行〜第１５行）と記載されている。
　甲第３号証（特開昭５９ー１０５４７６号公報、以下、刊行物３という。）には、「遊技盤の裏面に一定間隔を保持させて入賞玉集合カバーを取付け、該入賞玉集合カバーの外側表面に電子制御回路が組込まれた基盤を固着し、該電子制御回路と遊技盤に設けられた電動入賞装置とを予め定められた動作を行なわせるように電気配線して一体化したのち、該遊技盤を前面枠の裏側から窓孔に臨むように着脱自在に取付けるようにしたことを特徴とするパチンコ機。」（第１頁左欄第５行〜第１２行）、「本発明は、遊技盤上に電子制御回路に基いて予め定められた動作を行う電動入賞装置が設けられたパチンコ機に関し、更に詳しくは電動入賞装置と電子制御回路との電気配線が容易にでき、かつ遊技盤の交換作業を著しく向上せしめるようにしたパチンコ機に関するものである。」（第１頁左欄第１４行〜第１９行）、「遊技盤３は第３図に示すようにガイドレール５で囲まれた表面に障害釘や玉通路に入賞玉を検出するスイッチ９を臨ませた入賞チャッカー１０等が設けられ、略中央部にはソレノイド等の電気的駆動機構１１を具備した電動入賞装置１２を設けている。また、遊技盤３の裏側には第４図に示すように一定間隔を保持させて入賞チャッカー１０や電動入賞装置１２に入賞した玉を集合する入賞玉集合カバー１３を取付け、その入賞玉集合カバー１３の外側表面に電子制御回路を組込んだ基盤１４を損傷しないようボックス１５の内側に収めて固着している。そして、基盤１４からボックス１５の外に引き出された数本の導線１６は遊技盤３の裏面に取付けたターミナル１７を介して入賞チャッカー１０のスイッチ９や電動入賞装置１２の電気的駆動機構１１に接続してあり、また基盤１４からボックス１５の下方に引き出された別の導線１８の先端には電源に接続するカップラー１９を備えさせている。このカップラー１９を電源に接続すると電子制御回路が閉成され電動入賞装置１２は該回路に基いて定められた動作を行うことができるものであり、このようにして遊技盤３を一体化して完成している。」（第２頁右上欄第１４行〜左下欄第１５行）、「以上のように、本発明は、電子制御回路に基いて予め定められた動作を行う電動入賞装置１２が設けられた遊技盤３の交換を迅速かつ容易にできる方法を与えることになる。更に、電子制御回路の検査が工場で簡単にでき、しかも遊技盤３の交換時に面倒かつ高度な配線作業を一切必要としないから、従来のように受注先に専門の技術者を派遣しないですむということになる等の多大な効果を有するものである。」（第２頁右下欄第１８行〜第３頁左上欄第６行）と記載されている。
　甲第４号証（実願昭５７ー１２６８９０号（実開昭５９ー３３４７３号）のマイクロフィルム、以下、刊行物４という。）には、「（１）遊技盤と制御装置とターミナルベースとを含んでなるパチンコ機において、前記遊技盤は、その表面の遊技部に入賞装置、ゲーム装置、電飾等の遊技部装置群を備え、その裏面に、前記入賞装置への入賞球を検出する入賞球検出器、前記入賞装置、前記ゲーム装置の駆動装置等の裏面装置群を備え、前記遊技部装置群と前記裏面装置群からの集約した配線の先端に遊技盤側コネクタ部材を備え、前記制御装置は、前記遊技盤の裏側に設けた裏機構板の一部に装着され、前記遊技盤側コネク夕部材に接続する制御装置側コネクタ部材と、先端にコネク夕接続部材を有し前記ターミナルベースに接続する電源コードとを備え、前記ターミナルベースは、打球発射装置、各種表示装置等の固定機能部分からの集約した配線と電力供給路への配線とを備え、前記遊技盤と前記制御装置、および前記制御装置と前記ターミナルベースがそれぞれ着脱自在にコネク夕接続されて．前記遊技盤、制御装置、ターミナルベースとがそれぞれ独立配線構造をなしていることを特徴とするパチンコ機。」（第１頁第５行〜第２頁第９行）、「この考案はパチンコ機に関し、特に遊技盤裏側の各種電気配線をコネク夕を用し、て容易に分離可能な構造としたパチンコ機に関する。」（第２頁第１７行〜第１９行）、「第２図は、遊技盤１の遊技部装置群を含む本考案パチンコ機の正面図である。遊技部装置群は、例えば入賞装置１０、ゲーム装置１１および電飾（通常プラスチックス成形のゲーム装置等をその裏側から透過照明する）からなる。なお、ガイドレール１２に囲まれた遊技部内には、障害釘１３、アウト穴１４等もある。」（第６頁第１０行〜第１６行）、「第３図は、裏面装置群を含む本考案パチンコ機の裏面図である。裏面装置群は、例えば入賞装置１０への入賞球を検出する入賞球検出器（図示されないが、第２図に示す入賞装置１０に対応する裏側部分に通常設けられる公知の装置）、前記入賞装置１０及びゲーム装置１１の駆動装置２１等からなる。この図面において、３は裏機構板、４０は制御装置、４３は該制御装置４０の電源コード、１８は打止表示ランプ、５０はターミナルベース、５３は該ターミナルベース５０の電力供給路への配線、２２は上タンク、５２はターミナルベース５０から後述＆する固定機能部分への配線、１５は駆動表示ランプ、１６は賞球表示ランプ、２３は玉不足検出器、３２は後述の遊技盤側コネク夕部材３０と制御装置側コネクタ部材４１との接続部、２４は賞球表示スイッチ、２５は前記ターミナルベース５０からの配線５２を打球発射装置２６へ接続するコネクタ、２７は前記打球発射装置２６内の発射モータである。第４図は、本考案の主要構成部分を示すものである。遊技盤１の遊技部装置群および裏面装置群の配線の先端には遊技盤側コネクタ部材３０（３０ａ、３０ｂ、３０ｃ）が設けられている。第４図に示す実施例においては、該遊技盤側コネクタ部材３０は、電飾に係る遊技盤側コネク夕部材３０ａ、ゲーム装置に係る遊技盤側コネク夕部材３０ｂおよび入賞装置に係る遊技盤側コネク夕部材３０ｃに分けて設けられている。なお、遊技部装置群および裏面装置群に属する装置の中には、集合ケース３１の内側に構成されるものもあり、それらに係る配線は、適宜集合ケース３１の後方に導きその先端に前記遊技盤側コネクタ部材３０を設ける。制御装置４０は、遊技盤１の裏側に設けた裏機構板３の一部に装着されるものであり、前記遊技盤側コネクタ部材３０等をコネクタ接続するための制御側コネクタ部材４１と、その先端にコネクタ接続部材４２を有する電源コード４３とを備える。前記制御装置４０には、パチンコ機表面に臨むように構成した操作スイッチ１９、音声発生装置２０等の補助装置の配線コネクタ部材４４、４５とコネクタ接続するための制御装置側コネクタ部材４１ａを設けることができる。ターミナルベース５０は、例えば打球発射装置２６、駆動表示ランプ１５、賞球表示ランプ１６、玉不足検出器２３、賞球表示スイッチ２４等からなる固定機能部分からの集約した配線５２と、電力供給路（パチンコ機列島に設備された電力供給源）への配線５３とを備える。このターミナルベース５０には、前記制御装置４０の電源コード４３のコネクタ４２が接続され、該制御装置４０への電源供給がなされる。このようにして、本考案のパチンコ機は、前記遊技盤１と制御装置４０、および前記制御装置４０と前記ターミナルベース５０が、それぞれ着脱自在にコネクタ接続されるようになって、前記遊技盤１、制御装置４０、ターミナルベース５０とが分離可能な独立配線構造を有する。したがって、本考案パチンコ機によれば、遊技盤および制御装置の交換が極めて容易なため、新種遊技に迅速かつ経済的に対応できるばかりでなく、パチンコ機が故障した際にも、不良箇所のみを交換することにより迅速に修理が行え、さらにパチンコ機内部の配線が整然となり保守点検をする際にも能率が向上する。」（第７頁第１０行〜第１０頁第１３行）と記載されている。
　甲第５号証（実願昭６１−５４５８３号（実開昭６２−１６６８８２号公報）のマイクロフィルム、以下刊行物５という。）には、「入賞個数表示用ＬＥＤ３１は、２枚の保持基板１２８ａ，１２８ｂにそれぞ１３，慶れ５個ずつ保持されており、保持基板１２８ａ，１２８ｂ裏側からは接続配線１敷叢３０が延びており、その後端にはコネクタ１３２が取付けられている。」（第３隣０頁第１４行〜第１８行）、「継続回数表示用ＬＥＤ３３は保持基板１３４に配設されており、該保持基板藤ｄ３４は前面飾り板２２の裏面側にビス止め等されている。そして、継続回数表蟻示用ＬＥＤ３３がそれぞれＬＥＤ挿通用孔１２４に係合される。保持基板１３４複の裏面からは各継続回数表示用ＬＥＤ３３に接続された接続配線１３６が延びており、その後端にはコネクタ１３８が結合されている。」（第３１頁第１０行〜ご第１７行）、「第１３図は、可変入賞球装置１０が遊技盤３６に取付けられた状態におけるｕ裏面側から見た図であって、第１２図で説明した接続配線１３０および１３６の’取付先を示す図である。図示のように、接続配線１３０のコネク夕１３２および接続配線１３６のコネク夕１３８は、遊技盤３６上であって、可変入賞球装置１０の近傍に設けられた配線中継基板１４０のコネクタ１４２，１４４にそれぞれ結合されている。そして、該配線中継基板１４０は接続配線１４６を介してコントロール基板１４８と接続されている。」（第３２頁第４行〜第１４行）、「この実施例では、入賞個数表示用ＬＥＤ３１および継続回数表示用ＬＥＤ３３の接続配線１３０および１３６を、それぞれ、一旦配線中継基板１４０に接続し、該配線中継基板１４０を介してコントロール基板１４８に接続している。このようにすれば、組立時や遊技盤３６の取替時または作業点検時等において、配線中継基板１４０とコントロール基板１４８との間の接続配線１４６を切り離すだけの手間より、遊技盤３６を取替えたり、点検を加えたりできるという利点がある。つまり、可変入賞球装置１０から取出された接続配線１３０および１３６を直接コントロール基板１４８に接続する場合に比べ、接続線の取扱いが煩雑にならず作業性が向上するという利点がある。なお、第１３図に示すように、可変入賞球装置１０の他の表示ランプ等の配線も、一旦配線中継基板１４０に接続するようにすれば、組立時の作業性等さらに向上する。」（第３２頁第１９行〜第３３頁第１６行）、「第１６図は、パチンコ遊技機１６６の背面図であり、第１３図を参照して説１４したように、可変入賞球装置１０からの接続配線はすべて−旦配線中継基板１０に接続されていることが理解できる。そして、該配線中継基板１４０を介・略的に描いたコントロール基板１４８と電気的に接続されている。」（第３頁第９行〜第１５行）と記載されている。
　
エ．再度の取消の理由に引用した刊行物に記載の発明
　引用刊行物１は、前記甲第１号証である。
　引用刊行物２（実願昭５８ー１５２６８５号（実開昭６０ー６１０７９号）のマイクロフィルム、以下、刊行物６という）には、「（１）パチンコ台等の弾球遊技機の遊技領域前面ガラスに透過形の液晶表示素子を設け、打止め表示その他の遊技の終了の表示を該液晶表示素子により行うことを特徴とする、遊技機の盤面表示装置。」（実用新案登録請求の範囲第１項）、「遊技機１の前面ガラスが間隙４を介在 させて並設された２枚のガラス板２、３によって形成されている。ガラス板２、３の間に形成された間隙４の中央部には封止材５によって密閉された領域６が形成され、この領域６に液晶７が封入され透過形の液晶表示素子８が形成されている。」（第３頁末行〜第４頁６行）と記載されている。
　引用刊行物３（特開昭６２ー１３９６８２号、以下、刊行物７という。）には、「この遊技盤の下縁部には横一列に１〜１６の数字を表示した１６連入賞口〜が設けられ、該各入賞口には打球が入賞することによって点灯するランプ〜が夫々付設されている。」（第２頁右下欄第１７行〜第３頁左上欄第２行）と記載されている。
　
オ．対比・判断
　本件発明と刊行物１に記載の発明を対比すると、刊行物１に記載の「中継基板ｂ」、「ターゲット検出器群２１」および「ターゲット２８とマトリックス２２」は、それぞれ本件発明の「コネクタ基板」、「遊技球検出装置」および「遊技球検出装置の複数の球受け口のうち、遊技球が落入した球受け口の番号を表示するための表示板」に相当するから、両者は、「遊技盤の裏面に、該遊技盤に取り付けた各種の電気部品を接続するための分配コネクタと、該分配コネクタを一括して制御基板に接続するための中継コネクタを備えたコネクタ基板を設ける一方、前記制御基板に複数の集配コネクタを設け、該集配コネクタに、第１配線経路を経て前記中継コネクタを接続し、第２配線経路を経て、前記遊技盤内の電気部品であって前記コネクタ基板に接続されない遊技球検出装置を接続し、第３配線経路を経て、前記遊技球検出装置の複数の球受け口のうち、遊技球が落入した球受け口の番号を表示するための表示板を接続する構成としたパチンコ機の配線構造。」である点で一致するが、
　表示板が、本件発明では、「横長の扁平箱形状をなし、前記遊技盤を開閉するガラス枠には嵌装した２枚のガラス板間に取り出し可能に狭持されて、前記遊技球検出装置の複数の球受け口のうち遊技球が落入した球受け口の番号を表示するための表示板」であるのに対し、刊行物１に記載の発明は、表示板は遊技盤に設けられ、その形状が不明な点で相違する。
　上記相違点について検討すると、刊行物６には、遊技盤を開閉するガラス枠には嵌装した２枚のガラス板間に表示板（液晶表示素子）を狭持することは記載されているが、この表示板は、打止め表示その他の遊技の終了の表示を行うものであるから、遊技球検出装置の複数の球受け口のうち遊技球が落入した球受け口の番号を表示するものではないし、２枚のガラス間に封止部材により密閉された領域を形成し、そこに液晶を封入するものであるから、表示板（液晶表示素子）を取り出し可能に狭持しているものでも、横長の扁平箱形状とするものでもない。
　刊行物７には、遊技球検出装置の複数の球受け口のうち遊技球が落入した球受け口の番号を表示するための表示板は記載されているが、「この遊技盤の下縁部には横一列に１〜１６の数字を表示した１６連入賞口〜が設けられ、該各入賞口には打球が入賞することによって点灯するランプ〜が夫々付設されている。」と記載されているように、表示板は、遊技盤の下縁部に設けた入賞口に設けられているから、２枚のガラス板間に取り出し可能に狭持されておらず、横長の扁平箱形状とすることも記載されていない。　
　刊行物２〜５に記載の発明には、遊技球が落入した球受け口の番号を表示するための表示板は存在しないし、３つの配線経路とすることも記載されていない。
　したがって、本件発明は、刊行物１〜７に記載された発明を組み合わせても、本件発明は構成されないから、刊行物１〜７に記載の発明に基づいて当業者が容易に発明をすることができとものとすることはできない。
　
カ．むすび
　以上のとおりであるから、特許異議申立ての理由および証拠によっては、本件発明の特許を取り消すことはできない。
　また、他に本件発明の特許を取り消すべき理由を発見しない。
　したがって、本件発明についての特許は拒絶の査定をしなければならない特許出願に対してなされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により結論のとおり決定する。
【異議決定日】
平成１５年２月２８日（２００３．２．２８）
【訂正の要旨】
　ａ．本件特許第２９５４５４４号明細書（以下、「本件特許明細書」という）の特許請求の範囲の請求項１の記載中、「遊技盤内の電気部品であって前記コネクタ基板に接続されない電気部品」とある記載を、「遊技盤内の電気部品であって前記コネクタ基板に接続されない遊技球検出装置」と訂正する。
　ｂ．本件特許明細書の特許請求の範囲の請求項１の記載中、「第３配線経路を経て前記遊技盤外に設けた電気部品」とある記載を、「第３配線経路を経て、横長の偏平箱形状をなし、遊技盤を開閉するガラス枠に嵌装された２枚のガラス板間に取り出し可能に狭持されて、前記遊技球検出装置の複数の球受け口のうち、遊技球が落入した球受け口の番号を表示するための表示板」と訂正する。
　ｃ．本件特許明細書の段落番号０００５の記載中、「この配線構造によれば、遊技盤に取り付けた各種の電気部品は同じく遊技盤に設けた各分配コネクタに接続すれば足りる。また、分配コネクタは、同じく遊技盤に設けた中継コネクタを経て制御基板の集配コネクタに一括して接続される（第１配線経路）。また、制御基板のその他の集配コネクタには、遊技盤内の電気部品であってコネクタ基板に接続されない電気部品が接続される（第２配線経路）。更に、制御基板の別の集配コネクタには、遊技盤外の電気部品が接続される（第３配線経路）。」とある記載を、
「この配線構造によれば、遊技盤に取り付けた各種の電気部品は同じく遊技盤に設けた各分配コネクタに接続すれば足りる。また、分配コネクタは、同じく遊技盤に設けた中継コネクタを経て制御基板の集配コネクタに一括して接続される（第１配線経路）。また、制御基板のその他の集配コネクタには、遊技盤内の電気部品であってコネクタ基板に接続されない遊技球検出装置が接続される（第２配線経路）。更に、制御基板の別の集配コネクタには、遊技盤外の電気部品であって、横長の偏平箱形状をなし、遊技盤を開閉するガラス枠に嵌装した２枚のガラス板間に取り出し可能に狭持され、上記遊技球検出装置の複数の球受け口のうち、遊技球が落入した球受け口の番号を表示するための表示板が接続される（第３配線経路）。」と訂正する。
ｄ．本件特許明細書の段落番号００２９の記載中、「そして、コネクタ基板５２の中継コネクタ５６は、リード線束４８Ａを介して制御基板２３の第２集配コネクタ４７に接続されている。従って、本例の場合リード線束４８Ａを介する配線経路が特許請求の範囲に記載した第１配線経路に相当する。又、遊技球検出装置Ｕの集合コネクタ３５はリード線束４８Ｂを介して第２集配コネクタ４７に接続されている。本例の場合、遊技球検出装置Ｕが特許請求の範囲に記載した、遊技盤内の電気部品であってコネクタ基板に接続されない電気部品に相当し、従ってリード線束４８Ｂを介する配線経路が特許請求の範囲に記載した第２配線経路に相当する。更に、表示板４２の集合コネクタ４５はリード線束４８Ｃを介して第１集配コネクタ４６に接続されている。本例の場合、表示板４２及びプリント基板４３が特許請求の範囲に記載した遊技盤外の電気部品に相当し、従ってリード線束４８Ｃを介する配線経路が特許請求の範囲に記載した第３配線経路に相当する。」とある記載を、
「そして、コネクタ基板５２の中継コネクタ５６は、リード線束４８Ａを介して制御基板２３の第２集配コネクタ４７に接続されている。従って、本例の場合リード線束４８Ａを介する配線経路が特許請求の範囲に記載した第１配線経路に相当する。又、遊技球検出装置Ｕの集合コネクタ３５はリード線束４８Ｂを介して第２集配コネクタ４７に接続されている。本例の場合、遊技球検出装置Ｕが特許請求の範囲に記載した、遊技盤内の電気部品であってコネクタ基板に接続されない電気部品に相当し、従ってリード線束４８Ｂを介する配線経路が特許請求の範囲に記載した第２配線経路に相当する。更に、表示板４２の集合コネクタ４５はリード線束４８Ｃを介して第１集配コネクタ４６に接続されている。本例の場合、リード線束４８Ｃを介する配線経路が特許請求の範囲に記載した第３配線経路に相当する。」と訂正する。
（５４）【発明の名称】
パチンコ機の配線構造
（５７）【特許請求の範囲】
　【請求項１】　遊技盤の裏面に、該遊技盤に取り付けた各種の電気部品を接続するための分配コネクタと、該分配コネクタを一括して制御基板に接続するための中継コネクタを備えたコネクタ基板を設ける一方、前記制御基板に複数の集配コネクタを設け、該集配コネクタに、第１配線経路を経て前記中継コネクタを接続し、第２配線経路を経て、前記遊技盤内の電気部品であって前記コネクタ基板に接続されない
遊技球検出装置
、横長の偏平箱形状をなし、
を開閉するガラス枠に嵌装した２枚のガラス板間に取り出し可能に狭持されて、前記遊技球検出装置の複数の球受け口のうち遊技球が落入した球受け口の番号を表示するための表示板
【発明の詳細な説明】
　【０００１】
　【発明の属する技術分野】
　この発明は、パチンコ機の配線構造に関する。
　【０００２】
　【従来の技術】
　一般に、パチンコ機は、遊技球の通過あるいはその個数を検出するために多くのセンサを用い、あるいは各部を駆動するために電力を供給する必要があり、さらには各種の表示をするために多くにＬＥＤが組み込まれているため多くの配線が取り回されている。従来、この配線処理を整然と行うことが困難であったため、その組立て時あるいはメンテナンス時に手間取るという問題があった。
　【０００３】
　【発明が解決しようとする課題】
　そこで、本発明は、パチンコ機の各種配線の取り回しを整然と行うことができる結果、その組立て作業あるいはメンテナンス作業を効率よく行うことのできる配線構造を提供することを目的とする。
　【０００４】
　【課題を解決するための手段】
　このため、本発明は請求項１に記載した構成の配線構造とした。
　【０００５】
　この配線構造によれば、遊技盤に取り付けた各種の電気部品は同じく遊技盤に設けた各分配コネクタに接続すれば足りる。また、分配コネクタは、同じく遊技盤に設けた中継コネクタを経て制御基板の集配コネクタに一括して接続される（第１配線経路）。
　また、制御基板のその他の集配コネクタには、遊技盤内の電気部品であってコネクタ基板に接続されない
遊技球検出装置
　更に、制御基板の別の集配コネクタには、遊技盤外の電気部品
であって、横長の扁平箱形状をなし、遊技盤を開閉するガラス枠に嵌装した２枚のガラス板間に取り出し可能に狭持されて、上記遊技球検出装置の複数の球受け口のうち、遊技球が落入した球受け口の番号を表示するための表示板
　【０００６】
　このように、制御基板には、遊技盤内からの第１及び第２配線経路と遊技盤外からの第３配線経路の合計３つの配線経路に集約された状態で、各種電気部品がそれぞれ一括して接続されるので、各種の電気配線を従来よりも整然と取り回すことができ、これによりその取扱いの手間を大幅に軽減することができる。
　【０００７】
　【発明の実施の形態】
　次に、本発明の一実施例を図１〜図７に基づいて説明する。本例では、一定個数（例えば１６個）の遊技球の遊技面への打込みによって１回のゲームが終了し、遊技球が落入した球受口の番号の組合せが入賞条件を規定するアレンジゲーム型のパチンコ機を例示して説明する。この種のパチンコ機において、遊技盤７は図示しない前枠の開口部に対して脱着可能に組付けられている。
　【０００８】
　図１および図２に示すように遊技盤７の遊技面７ａを開閉するガラス枠４は、その回動支点側縦枠部４ａに湾曲形成した軸受部４１に、上記図示省略した前枠に垂支した軸棒３８を貫挿させて、該前枠に対して水平回動可能に支持されている。ガラス枠４の左右縦枠部４ａ，４ｂおよび下枠部４ｃには、断面がコ形状で前後１対の溝部３９，３９がそれぞれ長手方向に沿って並行状に凹設されている。また、このガラス枠４には、２枚のガラス４０，４０がその両側端縁および下端縁を上記両溝部３９，３９にそれぞれ嵌入した状態で前後に離隔して、かつ上方への取出し可能な状態で二重状に嵌装されている。さらに、図１に示すようにガラス枠４の回動支点側縦枠部４ａの下端部には透孔６９が開口されている。
　【０００９】
　遊技盤７の裏面７ｂには、図５に示すように近接スイッチ５０、ソレノイド５１等の電気部品が取着され、また、リミットスイッチ５３、ＬＥＤ５４等の電気部品がその各結線部を裏面７ｂに露出した状態で取付けられている。
　【００１０】
　遊技盤７の裏面７ｂの上端付近には方形板状のコネクタ基板５２が取着され、このコネクタ基板５２の背面には複数個の分配コネクタ５５〜５５と、この各分配コネクタ５５が接続された中継コネクタ５６とが取付けられている。近接スイッチ５０、ソレノイド５１、リミットスイッチ５３、ＬＥＤ５４等はそれぞれリード線束５８〜５８を介して分配コネクタ５５に接続され、各リード線束５８は両先端部がそれぞれ遊技盤７に打込まれた門形状の押え釘５９によって遊技盤７の裏面７ｂに固定されている。
　【００１１】
　図１〜図３に示すように遊技盤７の下部には横長状の通し孔３１が貫設されるとともに、通し孔３１の両側方には左右１対のほぼ有底円筒状の係着部材３２，３２がそれぞれビスを介して締着されている。この両係着部材３２，３２の胴部には、それぞれ可撓性の掛止片３２ａが半径方向への弾性変形可能に形成されている。両掛止片３２ａ，３２ａの下端部の外端縁は、係着部材３２の外周面の外方に対し内方への弾性退避動作可能に若干突出されている。
　【００１２】
　図４および図６に示すように遊技盤７の裏面７ｂの上下方向中央部付近であって、図示左側の側縁の若干内方にはこの側縁に沿って縦長状の支持部材１３が取付けられている。この支持部材１３の基板１３ａの上下端部裏面には、この基板１３ａを遊技盤７の裏面７ｂから離隔した状態で取付けるためにそれぞれ脚片１３ｂが突設されている。支持部材１３は、両脚片１３ｂ，１３ｂに挿通されたビス２５を介して遊技盤７の裏面７ｂに締着されている。基板１３ａの表面側に形成されたリブ１３ｃの上下端部にはそれぞれ突片１３ｄが連設され、この両突片１３ｄにはそれぞれ上端開放の軸受孔１４，１４が凹設されている。
　【００１３】
　遊技盤７の裏面７ｂの上下方向中央部付近であって、他方側の側縁の内方にはほぼ円筒状の係止部材１５が、この係止部材１５に挿通されたビスを介して回動可能に取着されている。係止部材１５の胴部１５ａの中央部付近には、支承縁１５ｂが周方向に沿って突設されるとともに、胴部１５ａの先端部には係止部材１５を回動操作するために相反方向へ突出された１対のつまみ１５ｃ，１５ｃが形成されている。
　【００１４】
　次に、遊技盤７の裏面７ｂを開閉可能に覆蓋する裏カバー１６はほぼ方形箱形状に形成され、その一側縁に沿って形成された図示左側のフランジ部１６ａの上部及び下部には突片１７，１７が設けられている。この上下の突片１７，１７の下面にはそれぞれ支軸１８が一体に形成されており、両支軸１８，１８は上記支持部材１３の両軸受孔１４に対してそれぞれ上方へ脱抜可能に嵌挿されている。これにより裏カバー１６が支持部材１３に対して両支軸１８を介して片持状に支持されて水平回動可能に装着されるとともに、裏カバー１６を若干持上げて両支軸１８を両軸受孔１４内から脱抜すれば、裏カバー１６を支持部材１３から取外すことができるようになっている。
　【００１５】
　一方、裏カバー１６の自由端側（図４において右側）のフランジ部１６ｂの上下端部の裏面には上下１対の脚片１９が突設されている。また、このフランジ部１６ｂの上下方向中央部付近には、上記係止部材１５の胴部１５ａを挿抜させ、かつ支承縁１５ｂの挿入を規制するための、丸孔状に形成された中孔２０ａと、係止部材１５の両つまみ１５ｃを挿抜させるためにそれぞれ角孔状に形成されて中孔２０ａの上下端部にそれぞれ連設された上孔２０ｂ及び下孔２０ｃとを有する挿入孔２０が貫設されている。上記中孔２０ａの孔縁には、係止部材１５のつまみ１５ｃの回動範囲を規定するための１対のストッパ２１，２１がそれぞれ周方向に沿って１８０°の回転対称位置に突設されている。
　【００１６】
　上記構成によれば、係止部材１５の両つまみ１５ｃを垂直方向へ指向させた状態で係止部材１５を挿入孔２０に挿入すると、挿入孔２０の中孔２０ａの孔縁が係止部材１５の支承縁１５ｂに当接して裏カバー１６の自由端側フランジ部１６ｂが遊技盤７の裏面７ｂから離隔した状態で保持される。一方、この状態で係止部材１５の両つまみ１５ｃを９０°回動して水平方向へ指向させると、挿入孔２０が両つまみ１５ｃで抜け止めされて、裏カバー１６は遊技球の通過を許容する間隙を隔てて遊技盤７の裏面７ａを覆蓋した閉止状態でロックされる。また、このロック状態で両つまみ１５ｃを逆方向へ９０°回動して垂直方向へ指向させると、挿入孔２０の抜け止め状態が解除されて裏カバー１６の自由端側フランジ部１６ｂが解放され、裏カバー１６を回動操作して遊技盤７の裏面７ｂを開放することができる。さらに、この開放状態で裏カバー１６を支持部材１３から取外すことができる。
　【００１７】
　次に、遊技盤７の下部に組付けられた遊技球検出装置Ｕについて説明する。図１〜図３に示すように横長状の球受ケース１１は、遊技盤７の通し孔３１を貫通して遊技盤７の裏面７ｂに組付けられ、球受ケース１１の後端部には遊技盤７の裏面７ａの後方に若干離隔して添設された横長状の基板１１ａが垂直状に形成され、この基板１１ａには複数のスイッチ挿通孔２５（図２参照）が貫設されて横方向へジグザグ状（千鳥状）に配列されている。図２に示すように基板１１ａの前方には、遊技盤７の裏面７ａに添設されて高さが基板１１ａの高さより低減された下板２６と、下板２６の上端に連接されて前上方へ傾斜した底板２７と、この底板２７上に対しその全長にわたって一定の間隔を隔てて立設された複数の隔壁２８〜２８とを有する球受樋１１ｂが一体状に形成され、下板２６の裏面には上下１対の係止溝３７が長手方向に沿って並行状に凹設されている。
　【００１８】
　球受樋１１ｂの各隔壁２８間には、遊技球を落入させるための球受口２９〜２９がそれぞれ形成されて等間隔で横一列に配列され、各球受口２９〜２９の前部は遊技面７ａに沿って転落する遊技球を受入れるために遊技面７ａの前方に突出される一方、各球受口２９の後部は遊技盤７の裏面７ｂに沿って転落する遊技球を受入れるために裏面７ａの後方へ突出されている。
　【００１９】
　図１および図３に示すように球受ケース１１の左右両端部には左右１対の取付部１１ｃ，１１ｃが横出され、この両取付部１１ｃには前記係着部材３２を貫挿するための取付孔３０がそれぞれ貫設されている。球受ケース１１は、両取付孔３０にそれぞれ貫挿された両係着部材３２の掛止片３２ａが両取付孔３０の孔縁に掛止されて両係着部材３２が抜け止めされた状態で、遊技盤７の裏面７ａに対して両係着部材３２を介して取外し可能に係着されている。
　【００２０】
　次に、球受ケース１１の下部には、各球受口２９内にそれぞれ落入した各遊技球を無接触で検出するために、各球受口２９にそれぞれ対設して球受口２９と同数個の近接スイッチ形の遊技球検出スイッチ２１〜２１が着脱可能に取付けられている。各遊技球検出スイッチ２１〜２１は、球受ケース１１のスイッチ挿通孔２５にそれぞれ貫挿されて、その先端部が係止溝３７内に係入されており、球受ケース１１に対してそれぞれ後方へ脱抜可能な状態で横方向へジグザグ状に配列されている。
　【００２１】
　各遊技球検出スイッチ２１の前部には、遊技球を通過させるための検出口２１ａが開口形成されており、各検出口２１ａは各球受口２９の下端部の直下にそれぞれ位置している。一方、各遊技球検出スイッチ２１の後端の結線部２１ｂは、基板１１ａの後方へ突出されている。
　【００２２】
　球受ケース１１の基板１１ａの後端上部には、前側面に遊技球検出スイッチ用のプリント配線が印刷されたプリント基板３３が添着されている。このプリント基板３３の後側面には、各遊技球検出スイッチ２１とプリント基板３３のプリント配線とを接続する複数の分配コネクタ３４〜３４と、各遊技球検出スイッチ２１の検出信号を収集して外部配線（リード線束４８Ｂ）に連絡する集合コネクタ３５，３５が実装されている。さらに、基板１１ａには、各遊技球検出スイッチ２１の各結線部２１ｂ，各分配コネクタ３４，集合コネクタ３５を内部に収容する状態で、カバー４９がビス止めされている。
　【００２３】
　次に、図１および図２に示すようにガラス枠４の下端部には、遊技球が落入した球受口２９の番号を表示するための表示板４２が取り付けられている。この表示板４２は横長の偏平箱形状をなし、２枚のガラス４０，４０間に挟み込まれて固定されており、球受ケース１１の前下方に沿って取出し可能に配置されている。
　【００２４】
　表示板４２の前面には、球受口数と同数個の窓部４２ａ〜４２ａがそれぞれ方形状に貫設されて横一列に配列されるとともに、表示板４２の表面の上端部には各球受口２９の番号に相当する１，２，３…１６の数字が各窓部４２ａにそれぞれ対向して横一列に表示されている。
　【００２５】
　一方、表示板４２の裏面側には横長状のプリント基板４３がビス止めされている。このプリント基板４３には、遊技球が落入した球受口２９の番号を報知するために球受口２９の個数と同数個のＬＥＤ４４〜４４が横一列に配置されている。各ＬＥＤ４４は、プリント基板４３のプリント配線にそれぞれ接続され、各ＬＥＤ４４の先端部は各窓部４２ａ内にそれぞれ突入されている。
　【００２６】
　ガラス枠４の回動支点側縦枠部４ａに対向するプリント基板４３の一端部には、プリント基板４３のプリント配線を集合して外部配線に連絡する集合コネクタ４５が取付けられている。
　【００２７】
　裏カバー１６の背面に組付けられた制御基板収納ボックスＢは、アレンジゲーム用電子回路がプリント配線された制御基板２３と、この制御基板２３のほぼ全面を開放可能に覆蓋する箱形状のカバー２４とを備え、制御基板２３は裏カバー１６に対し取外し可能に係着されている。
　【００２８】
　制御基板２３の裏面には、そのプリント配線にそれぞれ接続された第１集配コネクタ４６および第２集配コネクタ４７が制御基板２３の一側縁および下端縁に沿ってそれぞれ取付けられ、この両集配コネクタ４６，４７はカバー２４外に露出されている。
　【００２９】
　そして、コネクタ基板５２の中継コネクタ５６は、リード線束４８Ａを介して制御基板２３の第２集配コネクタ４７に接続されている。従って、本例の場合リード線束４８Ａを介する配線経路が特許請求の範囲に記載した第１配線経路に相当する。
　又、遊技球検出装置Ｕの集合コネクタ３５はリード線束４８Ｂを介して第２集配コネクタ４７に接続されている。本例の場合、遊技球検出装置Ｕが特許請求の範囲に記載した、遊技盤内の電気部品であってコネクタ基板に接続されない電気部品に相当し、従ってリード線束４８Ｂを介する配線経路が特許請求の範囲に記載した第２配線経路に相当する。
　更に、表示板４２の集合コネクタ４５はリード線束４８Ｃを介して第１集配コネクタ４６に接続されている。本例の場合
、リ
　【００３０】
　遊技球検出装置Ｕの各遊技球検出スイッチ２１が発信した検出信号は、分配コネクタ３４、プリント基板３３、集合コネクタ３５および第２集配コネクタ４７を介して制御基板２３の制御回路に伝送され、該制御回路から第１集配コネクタ４６、集合コネクタ４５およびプリント基板４３を介して各ＬＥＤ４４に伝送され、これにより遊技球が落入した球受口２９の番号に対応するＬＥＤ４４が点灯し、各遊技球が落入した球受口番号が遊技者に報知される。
　【００３１】
　また、近接スイッチ５０、リミットスイッチ５３等から発信された出力信号は、分配コネクタ５５、中継コネクタ５６、第２集配コネクタ４７を介して制御基板２３の制御回路に伝送され、ソレノイド５１、ＬＥＤ５４等には第２集配コネクタ４７、中継コネクタ５６、分配コネクタ５５を介して制御基板２３の出力信号が伝送される。
　【００３２】
　以上のように構成されたパチンコ機の配線構造によれば、遊技盤７に取り付けた近接スイッチ５０、ソレノイド５１、リミットスイッチ５３、ＬＥＤ５４等の各種の電気部品は、遊技盤裏面７ｂに設けたコネクタ基板５２の各分配コネクタ５５〜５５に接続すれば足りる。また、分配コネクタ５５〜５５は、同じくコネクタ基板５２に設けた中継コネクタ５６を経て制御基板２３の第２集配コネクタ４７に一括して接続される。さらに、この集配コネクタ４７およびその他の集配コネクタ４６には、遊技盤内および遊技盤外の集合コネクタ３５，４５が接続されている。
　【００３３】
　このように、遊技盤７の内外と制御基板２３との間において、各種電気部品がそれぞれ一括して接続されるので、各種の電気配線４８Ａ，４８Ｂ，４８Ｃを従来よりも整然と取り回すことができ、これによりその取扱いの手間を大幅に軽減することができる。
　【００３４】
　また、以上説明したパチンコ機における遊技球検出装置Ｕにおいて、遊技面７ａに沿って横一列に配列された複数の球受口２９を有し、かつ遊技盤７に取外し可能に取付けられた球受ケース１１の下部には、各検出口２１ａを球受口２９の直下にそれぞれ位置させた状態で横方向へ複数列に配置した複数の遊技球検出スイッチ２１〜２１が、その取付け位置を千鳥状にずらせた状態で個別に取外し可能に取付けられている。
　【００３５】
　また、球受ケース１１の後端には、各遊技球検出スイッチ２１の上方にそれぞれ設置されて各遊技球検出スイッチ２１にそれぞれ接続された複数の分配コネクタ３４〜３４と、各遊技球検出スイッチ２１の検出信号を収集して外部へ連絡する集合コネクタ３５，３５が実装されたプリント基板３３が配置されている。
　【００３６】
　さらに、球受ケース１１には、各遊技球検出スイッチ２１の電気的露出部、分配コネクタ３４〜３４、集合コネクタ３５，３５、およびプリント基板３３等を内部に収容した状態でカバー４４が取り付けられている。
　【００３７】
　このことから、各遊技球検出スイッチ２１を球受ケース１１から個別に取外すことができるので、必要な遊技球検出スイッチ２１のみを取外して交換、修理することができ、各遊技球検出スイッチ２１の取扱い、交換作業、修理作業を簡便化することができる。
　【００３８】
　また、複数列の遊技球検出スイッチ２１をその取付け位置を千鳥状にずらせた状態で横方向へ配列し、各分配コネクタ３４〜３４を遊技球検出スイッチ２１の上方にそれぞれ配置して、各遊技球検出スイッチ２１と各分配コネクタ３４とを接続してあるので、各遊技球検出スイッチ２１をその相互干渉を避けて各検出口２１ａをそれぞれ球受口２９の直下に位置させつつコンパクトに設置することができる。
　【００３９】
　さらに、各遊技球検出スイッチ２１と各分配コネクタ３４とをそれぞれ最小限の間隔で配置してそれぞれ最小限の長さのリード線で整然と接続することができ、各遊技球検出スイッチ２１に接続されたリード線の配線状態をシンプル化および端正化することができる。
　【００４０】
　また、隣接する遊技球検出スイッチ２１，２１間に間隙が形成されるので、各遊技球検出スイッチ２１の取外し，交換作業を隣接する遊技球検出スイッチ２１によって妨げられずに円滑に行うことができる。
　【００４１】
　特に、本例の場合、球受口２９〜２９と遊技球検出スイッチ２１〜２１とプリント基板３３が単一の球受けケース１１（ケース体）にユニット化されているので、これらを球受けケース１１と一体のアッセンブリとして取扱うことができ、この点でもその扱い性をよくすることができる。
　【００４２】
　また、球受けケース１１の前面に複数の球受口２９〜２９を横一列に並んで備える一方、該球受けケース１１の背面に、複数の遊技球検出スイッチ２１〜２１とプリント基板３３の各分配コネクタ３４〜３４を各球受口２９〜２９に対応して配置した構成となっているので、例示したアレンジゲーム型のパチンコ機において通常見られる横一列に並んだ複数の球受口２９〜２９に対して、遊技盤面裏側に遊技球検出スイッチ２１〜２１および分配コネクタ３４〜３４を整然と配置でき、当該遊技球検出装置Ｕの組付け作業あるいはそのメンテナンス作業を効率よく行うことができるようになる。
　【００４３】
　この構成の場合、遊技球検出スイッチ２１〜２１および分配コネクタ３４〜３４を各球受口２９〜２９に対応して配置する構成であり、各遊技球検出スイッチ２１〜２１とこれが接続される分配コネクタ３４〜３４とが接近した位置に配置される構成であるので、短いリード線で両者を接続することができ、これによりこの種の配線構造を大幅に簡略化し、整然とさせることができる。また、遊技球検出スイッチ２１〜２１とこれが接続されるべき、あるいは接続されている分配コネクタ３４〜３４との関係が一目で分かるので、この点でもメンテナンス作業等を効率よく行うことができる。
　【００４４】
　また、前記した従来公知の配線構造（特開昭６２−１３９６８１号公報に開示された配線構造）では、どの分配コネクタをどの遊技球検出スイッチに接続すべきかを例えば記号表示等により識別できるようにしておく必要があるが、例示した遊技球検出装置Ｕの配線構成によれば、遊技球検出スイッチ２１を接続すべき分配コネクタ３４がその近傍に固定配置されているので、わざわざ上記表示等をするまでもなく接続ミスを未然に防止できる。
　【００４５】
　以上のことから、本発明に係る配線構造は、例えば例示したアレンジゲーム型のパチンコ機のように遊技球の通過を検出すべき球通路（球受口）が多い程、すなわち遊技球検出スイッチの個数が多い程、あるいは各種の電気部品の個数が多い程より顕著な作用効果を奏する。
　【００４６】
　最後に、本実施形態の場合、各遊技球検出スイッチ２１の電気的露出部、各分配コネクタ３４〜３４、集合コネクタ３５，３５、プリント基板３３等がカバー４９によって保護されるので、遊技球の検出ミスや遊技球検出スイッチ２１の誤作動を防止することができる。
【図面の簡単な説明】
　【図１】
　本発明の１実施例を示す要部の横断面図である。
　【図２】
　要部の縦断面図である。
　【図３】
　要部の分解斜視図である。
　【図４】
　遊技盤の背面図である。
　【図５】
　裏カバーを取外した遊技盤の背面図である。
　【図６】
　図４のＸ３−Ｘ３線拡大断面図である。
　【図７】
　図５のＸ２−Ｘ２線拡大断面図である。
　【符号の説明】
　７…遊技盤
　７ｂ…裏面
　２１…遊技球検出スイッチ
　２３…制御基板
　４５…表示板用集合コネクタ
　４６…第１集配コネクタ
　４７…第２集配コネクタ
　４８Ａ，４８Ｂ，４８Ｃ…結線（リード線束）
　５２…コネクタ基板
　５５…分配コネクタ
　５６…中継コネクタ